(57)【要約】【課題】  馬鈴薯などの農産物をその形状に応じて選別する選別装置において、同一軸上の選別円盤の間隔を固定した簡単な構造と操作で、選別する対象物の大きさに合わせる調整を迅速に行なえるようにする。【解決手段】  固定回転軸21，23に複数枚の固定選別円盤24，26を可動回転軸22に複数枚の可動選別円盤25を等間隔にはめ込み、複数枚の固定選別円盤24，26と可動選別円盤25は互いの側面がはまり込むように組み合わされ、固定選別円盤24，26の側面と可動選別円盤25の側面の間隔を選別空間S1，S2とし、可動回転軸22をその軸方向に摺動させることにより選別空間S1，S2の間隔を可変とした。【選択図】        【図４】
2006021089.tif 000002
【特許請求の範囲】
【請求項１】
固定回転軸と可動回転軸を平行に配置し、固定回転軸に複数枚の固定選別円盤を可動回転軸に複数枚の可動選別円盤を等間隔にはめ込み、複数枚の固定選別円盤と可動選別円盤は互いの側面がはまり込むように組み合わされ、固定選別円盤の側面と可動選別円盤の側面の間隔を選別空間とし、可動回転軸をその軸方向に摺動させることにより選別空間の間隔を可変とした農産物の選別装置。
【請求項２】
可動回転軸をその軸方向に摺動させるスライド駆動部を設け、スライド駆動部のハンドルを回すと可動回転軸がその軸方向に摺動して選別空間の間隔が変わる請求項１記載の農産物の選別装置。
【請求項３】
固定選別円盤と可動選別円盤の外周に弾性体で形成された外周リングを設け、外周リングは選別空間に臨む方向に径が小となるテーパー状に形成され、固定選別円盤と可動選別円盤の選別空間に臨む外周リングより内方の側面に弾性体で形成された多数の内側突起を設けた請求項１または２記載の農産物の選別装置。
【発明の詳細な説明】
【技術分野】
【０００１】
本発明は、馬鈴薯などの農産物をその形状に応じて選別する選別装置において、選別する対象物の大きさに合わせる調整を迅速に行なえるようにした選別装置に関する。
【背景技術】
【０００２】
従来、農産物を大きさにより厳密に選別しようとする場合には、その重量を測定して選別することが行なわれているが、それほどの厳密さは要求しないが能率よく選別したい場合にはその形状を測定して選別する、形状選別が行なわれている。
【０００３】
そのような能率よく選別したい場合とは、収穫した農産物から石レキや土塊、商品にならない小玉を取り除くために形状選別する場合。また、馬鈴薯を種芋として切り分けるために、二つ切り用や三つ切り用などに形状選別する場合、などである。
【０００４】
その形状選別装置としては、複数本の軸を平行に配置し、その軸毎に所望の選別する大きさの間隔で複数枚の円盤をはめ込み、その円盤を同一方向に回転させるようにした選別装置が知られている。
【０００５】
例えば、実開昭４９−２３４４５号公報には、弾性体で製作したローラーの一部を二本合せで目的物の形状に形抜きして並列し、そのローラーを回転軸に嵌合して同一方向に回転させ、そのローラーの形抜きした孔が下方ほど小となるようにローラー群を上下に段積みした技術が示されている。
【０００６】
しかし、上記したような能率よく選別したい場合には、商品として出荷する場合のように大きさが規格化されているわけではなく、年毎に変わるであろう収穫時における全体の大きさの分布に応じて、選別する大きさが変わるものである。つまり、収穫時に全体の大きさの分布が大な場合には取り除く小玉も大きくしたいし、逆な場合には小さくして少しでも収量を上げたいもので、選別する大きさの微調整が要望される。また、種芋の場合にも全体の大きさの分布が大な場合には、従来は三つ切り用としていた大きさも二つ切り用とすることがあり、選別する大きさの微調整が要望される。
【０００７】
ところが、上記の実開昭４９−２３４４５号公報に示される技術は、ローラーを目的物の形状に形抜きしたものであり、選別する大きさの微調整は不可能である。そこで、複数本の軸を平行に配置し、その軸毎に所望の選別する大きさの間隔で複数枚の円盤をはめ込み、その円盤の間に複数枚のリング状スペーサーをはめ込み、スペーサーの数の増減で選別する大きさの微調整をするようにしたものが知られている。
【０００８】
しかしこれも、多数の円盤とリング状スペーサーを軸から出し入れすることとなり、選別の微調整が煩雑である。そこで円盤の間隔の調整を迅速に行なえるようにしたものも知られている。
【０００９】
例えば、特開平９−２２５４１０号公報には、左右フレームに前後に並ぶ複数本の回転軸を軸受けし、各回転軸に複数個の円板を前後一直線に並ぶように外嵌し、隣合う前後の回転軸と前後左右の円板の間の長方形の空隙によって農産物を選別する農産物選別装置であることが示されている。
【００１０】
さらに、円板を回転軸に固定し摺動可能とするために、左右フレームに軸受けされる両軸端部と、その両軸端部を一体連結する断面コ字形の軸部とから各回転軸を形成し、前記軸部に角柱状の原動カムと従動カムを内装し、原動カムの一端にボルトを形成して前記軸端部から外方へ突出させ、前記ボルトにナットを外嵌し、前記ナットを回転操作して前記原動カムを軸方向に摺動させ、それにより前記原動カムと係合する従動カムを前記軸部の開口から出入させ、前記軸部から前記従動カムを進出させると、前記軸部に遊嵌した円板は前記回転軸に固定し、前記軸部内に前記従動カムを退入させると、前記円板は前記軸部上を摺動可能となる技術が示されている。
【００１１】
さらに、複数の円板の間隔を一定とするために、各回転軸の下方において左右フレームに案内棒をそれぞれの回転軸に平行に渡し、前記案内棒にそれぞれの円板を挟むように案内するスクレーパを左右移動自在に取り付け、１つの前記案内棒上のすべてのスクレーパをパンタグラフ機構を介して連結した技術が示されている。
【特許文献１】実開昭４９−２３４４５号公報
【特許文献２】特開平９−２２５４１０号公報
【発明の開示】
【発明が解決しようとする課題】
【００１２】
前記、特開平９−２２５４１０号公報に示される技術では、円板を回転軸に固定し摺動可能とするために、各円板に対応する軸部に角柱状の原動カムと従動カムを内装し、複数の円板の間隔を一定とするために、左右移動自在なスクレーパとパンタグラフ機構を用いるもので、かなり複雑な構造となっている。
【００１３】
また、その調整のための操作も、原動カムの一端のナットを回転操作して原動カムを軸方向に摺動させて円板を回転軸に摺動可能とし、一つの円板を操作すると同一軸上の円板の間隔が同一となり、再びナットを回転操作して原動カムを軸方向に摺動させて円板を回転軸に固定するもので、この操作を前後に並ぶ複数本の回転軸について各々行なう必要があり、簡便とは言いがたい。
【００１４】
これは、同一軸上の円板の間隔を各々可変とするための複雑さであり、その同一軸上の間隔を固定したまま選別する対象物の大きさに合わせる調整を可能とする必要がある。
【００１５】
そこで本発明は、同一軸上の選別円盤の間隔を固定した簡単な構造と操作で、選別する対象物の大きさに合わせる調整を迅速に行なえるようにした農産物の選別装置を提供することを目的とする。
【課題を解決するための手段】
【００１６】
請求項１の発明による農産物の選別装置は、固定回転軸11，13，21，23と可動回転軸12，22を平行に配置し、固定回転軸11，13，21，23に複数枚の固定選別円盤14，16，24，26を可動回転軸12，22に複数枚の可動選別円盤15，25を等間隔にはめ込み、複数枚の固定選別円盤14，16，24，26と可動選別円盤15，25は互いの側面がはまり込むように組み合わされ、固定選別円盤14，16，24，26の側面と可動選別円盤15，25の側面の間隔を選別空間S1，S2とし、可動回転軸12，22をその軸方向に摺動させることにより選別空間S1，S2の間隔を可変としたものである。
【００１７】
請求項２の発明による農産物の選別装置は、可動回転軸12，22をその軸方向に摺動させるスライド駆動部40，50を設け、スライド駆動部40，50のハンドル65，66を回すと可動回転軸12，22がその軸方向に摺動して選別空間S1，S2の間隔が変わるものである。
【００１８】
請求項３の発明による農産物の選別装置は、固定選別円盤14，16，24，26と可動選別円盤15，25の外周に弾性体で形成された外周リング27を設け、外周リング27は選別空間S1，S2に臨む方向に径が小となるテーパー状に形成され、固定選別円盤14，16，24，26と可動選別円盤15，25の選別空間S1，S2に臨む外周リング27より内方の側面に弾性体で形成された多数の内側突起28を設けたものである。
【発明の効果】
【００１９】
請求項１の発明によれば、固定回転軸11，13，21，23と可動回転軸12，22を平行に配置し、固定回転軸11，13，21，23に複数枚の固定選別円盤14，16，24，26を可動回転軸12，22に複数枚の可動選別円盤15，25を等間隔にはめ込み、複数枚の固定選別円盤14，16，24，26と可動選別円盤15，25は互いの側面がはまり込むように組み合わされ、固定選別円盤14，16，24，26の側面と可動選別円盤15，25の側面の間隔を選別空間S1，S2とし、可動回転軸12，22をその軸方向に摺動させることにより選別空間S1，S2の間隔を可変としたため、可動部分が可動回転軸12，22の摺動する部分のみとなるから、同一軸上の選別円盤14，15，16，24，25，26の間隔を固定した簡単な構造となり安価に提供できる。
【００２０】
請求項２の発明によれば、可動回転軸12，22をその軸方向に摺動させるスライド駆動部40，50を設け、スライド駆動部40，50のハンドル65，66を回すと可動回転軸12，22がその軸方向に摺動して選別空間S1，S2の間隔が変わるため、ハンドル65，66を回すという簡単な操作で調整できるから、選別する対象物の大きさに合わせる調整を迅速に行なえる。
【００２１】
請求項３の発明によれば、固定選別円盤14，16，24，26と可動選別円盤15，25の外周に弾性体で形成された外周リング27を設け、外周リング27は選別空間S1，S2に臨む方向に径が小となるテーパー状に形成されているから、外周リング27に接当した選別する対象物が選別空間S1，S2の方に導かれ、選別する対象物が滞留することなく能率的に選別される。
【００２２】
また、固定選別円盤14，16，24，26と可動選別円盤15，25の選別空間S1，S2に臨む外周リング27より内方の側面に弾性体で形成された多数の内側突起28を設けたから、選別する対象物に柔らかく接触して傷付けるおそれがない。
【発明を実施するための最良の形態】
【００２３】
同一軸上の選別円盤14，15，16，24，25，26の間隔を固定した簡単な構造と操作で、選別する対象物の大きさに合わせる調整を迅速に行なえるようにするという目的を、固定回転軸11，13，21，23と可動回転軸12，22を平行に配置し、固定回転軸11，13，21，23に複数枚の固定選別円盤14，16，24，26を可動回転軸12，22に複数枚の可動選別円盤15，25を等間隔にはめ込み、複数枚の固定選別円盤14，16，24，26と可動選別円盤15，25は互いの側面がはまり込むように組み合わされ、固定選別円盤14，16，24，26の側面と可動選別円盤15，25の側面の間隔を選別空間S1，S2とし、可動回転軸12，22をその軸方向に摺動させることにより選別空間S1，S2の間隔を可変とし、可動回転軸12，22をその軸方向に摺動させるスライド駆動部40，50を設け、スライド駆動部40，50のハンドル65，66を回すと可動回転軸12，22がその軸方向に摺動して選別空間S1，S2の間隔が変わるようにして実現した。
【００２４】
また、選別する対象物を能率的に選別するという目的を、固定選別円盤14，16，24，26と可動選別円盤15，25の外周に弾性体で形成された外周リング27を設け、外周リング27は選別空間S1，S2に臨む方向に径が小となるテーパー状に形成して実現した。
【００２５】
また、選別する対象物を傷付けないようにするという目的を、固定選別円盤14，16，24，26と可動選別円盤15，25の選別空間S1，S2に臨む外周リング27より内方の側面に弾性体で形成された多数の内側突起28を設けて実現した。
【実施例１】
【００２６】
図１は、本発明の一実施例に係る馬鈴薯などの農産物の選別装置１の正面図であって、定置型の選別装置１を示している。
【００２７】
選別装置１には、四隅に設けた立垂状態の脚２と、脚２の間であって選別する対象物の流れ方向に平行に一対の側枠３を設け、一対の側枠３の内側には選別する対象物を案内する一対の案内板４を設ける。
【００２８】
一対の側枠３間の選別する対象物の流れ方向の上流側となる一側に供給シュート５を設け、下流側となる一側に出口シュート６を設ける。
【００２９】
一対の側枠３間の供給シュート５と出口シュート６の間に、対象物の流れ方向の上流側から第一選別部10と第二選別部20を設け、第一選別部10と第二選別部20の間に一対の側枠３間に渡る円筒形状の乗り継ぎローラー７を設ける。
【００３０】
乗り継ぎローラー７の表面にはスポンジ体を貼り付け、選別する対象物を傷付けないようにし、かつ選別する対象物を確実に搬送するように、その上面が流れ方向の下流側に向かうように回転駆動する。
【００３１】
第一選別部10には、断面が六角形の固定回転軸11，13と可動回転軸12を水平面内に平行に配置し、固定回転軸11，13に複数枚の六角形孔を開けた固定選別円盤14，16を可動回転軸12に複数枚の六角形孔を開けた可動選別円盤15を等間隔にはめ込む。実施例では、固定回転軸を上流側の前固定回転軸11と下流側の後固定回転軸13の２本とし、前固定回転軸11に７枚の前固定選別円盤14をはめ込み、後固定回転軸13に７枚の後固定選別円盤16をはめ込み、前固定回転軸11と後固定回転軸13の間の可動回転軸12に６枚の可動選別円盤15をはめ込み、各選別円盤14，15，16の同一軸上の間隔を103.5mmの等間隔とした。
【００３２】
第二選別部20には、断面が六角形の固定回転軸21，23と可動回転軸22を水平面内に平行に配置し、固定回転軸21，23に複数枚の六角形孔を開けた固定選別円盤24，26を可動回転軸22に複数枚の六角形孔を開けた可動選別円盤25を等間隔にはめ込む。実施例では、固定回転軸を上流側の前固定回転軸21と下流側の後固定回転軸23の２本とし、前固定回転軸21に６枚の前固定選別円盤24をはめ込み、後固定回転軸23に６枚の後固定選別円盤26をはめ込み、前固定回転軸21と後固定回転軸23の間の可動回転軸22に５枚の可動選別円盤25をはめ込み、各選別円盤24，25，26の同一軸上の間隔を118.5mmの等間隔とした。
【００３３】
供給シュート５と前固定回転軸11の前固定選別円盤14の間に櫛歯状の受け入れ板34を設け、受け入れ板34は前固定選別円盤14の間にはまり込み、供給シュート５に供給された選別する対象物を前固定選別円盤14の間に導く。
【００３４】
後固定回転軸13の後固定選別円盤16と乗り継ぎローラー７の間に複数枚の乗り継ぎ板35を設け、乗り継ぎ板35は後固定選別円盤16の間にはまり込み、後固定選別円盤16の間の選別する対象物を乗り継ぎローラー７の上に導く。
【００３５】
乗り継ぎローラー７と前固定回転軸21の前固定選別円盤24の間に複数枚の乗り継ぎ板36を設け、乗り継ぎ板36は前固定選別円盤24の間にはまり込み、乗り継ぎローラー７上の選別する対象物を前固定選別円盤24の間に導く。
【００３６】
後固定回転軸23の後固定選別円盤26と出口シュート６の間に櫛歯状の受け入れ板37を設け、受け入れ板37は後固定選別円盤26の間にはまり込み、後固定選別円盤26の間の選別する対象物を出口シュート６に導く。
【００３７】
第一選別部10の複数枚の前固定選別円盤14と可動選別円盤15、後固定選別円盤16と可動選別円盤15は、平面視で互いの側面がはまり込むように組み合わされる。また、第二選別部20の複数枚の前固定選別円盤24と可動選別円盤25、後固定選別円盤26と可動選別円盤25は、平面視で互いの側面がはまり込むように組み合わされる。実施例では、第一選別部10と第二選別部20とも、約50mmはまり込むように組み合わせた。
【００３８】
前固定選別円盤14，24の側面と可動選別円盤15，25の側面の間隔を前選別空間S1とし、後固定選別円盤16，26の側面と可動選別円盤15，25の側面の間隔を後選別空間S2とする。
【００３９】
前選別空間S1と後選別空間S2は、第一選別部10における各選別円盤14，15，16の間隔を等間隔としたこと、第二選別部20における各選別円盤24，25，26の間隔を等間隔としたことにより、第一選別部10と第二選別部20のそれぞれにおいて、各々前選別空間S1と後選別空間S2の間隔は同一となる。
【００４０】
つまり、第一選別部10と第二選別部20のそれぞれにおいて、各々前選別空間S1と後選別空間S2の二回同じ大きさの選別空間S1，S2を選別する対象物が通過することにより確実に選別されるようにしている。
【００４１】
第一選別部10の下方に第一取出し部８を、第二選別部20の下方に第二取出し部９を設け、第一選別部10と第二選別部20の前選別空間S1と後選別空間S2から落下した選別する対象物を機外に導く。
【００４２】
固定選別円盤14，16，24，26と可動選別円盤15，25の外周に、ゴム状の弾性体で形成された外周リング27を設ける。実施例では、外周リング27の外径を約155mm、外周リング27の幅を約18.5mmとした。
【００４３】
外周リング27は選別空間S1，S2に臨む方向に径が小となるテーパー状に形成する。実施例では、外周リング27の外径方向を約４度のテーパー状に形成し、内径方向には角度を付けずに、選別空間S1，S2に臨む方向に肉薄となり先端部ほど弾性を付与するようにした。
【００４４】
固定選別円盤14，16，24，26と可動選別円盤15，25の選別空間S1，S2に臨む外周リング27より内方の側面に、ゴム状の弾性体で形成された多数の内側突起28を設ける。内側突起28は先端ほど小径な円錐状に形成し、先端部ほど弾性を付与するようにし、外周リング27より内方の側面のほぼ全面に配置する。
【００４５】
固定選別円盤14，16，24，26と可動選別円盤15，25の選別空間S1，S2に臨まない、つまり内側突起28を設けた反対側の側面に、ゴム状の弾性体で形成された多数の外側突起29を設ける。外側突起29は側面の外周方向に主に配置する。
【００４６】
第一選別部10における複数枚の前固定選別円盤14の間には、各々前固定回転軸11にはめ込んだテーパーローラー31とイボローラー32を設け、複数枚の可動選別円盤15の間には、各々可動回転軸12にはめ込んだイボローラー32とテーパーローラー31を設け、複数枚の後固定選別円盤16の間には、各々後固定回転軸13にはめ込んだ二個のイボローラー32を設ける。
【００４７】
第二選別部20における複数枚の前固定選別円盤24の間には、各々前固定回転軸21にはめ込んだテーパーローラー31とイボローラー32とスペーサー33を設け、複数枚の可動選別円盤25の間には、各々可動回転軸22にはめ込んだスペーサー33とイボローラー32とテーパーローラー31を設け、複数枚の後固定選別円盤26の間には、各々後固定回転軸13にはめ込んだ二個のイボローラー32とスペーサー33を設ける。
【００４８】
上記イボローラー32の外周には、ゴム状の弾性体で形成された多数の突起を設け、その突起は先端ほど小径な円錐状に形成し、先端部ほど弾性を付与する。
【００４９】
可動回転軸12，22をその軸方向に摺動させることにより選別空間S1，S2の間隔を可変とする。
【００５０】
実施例では、第一選別部10における可動回転軸12は約22mmその軸方向に摺動し、その選別空間S1，S2の間隔は約23から45mmの間で可変とした。第二選別部20における可動回転軸22は約30mmその軸方向に摺動し、その選別空間S1，S2の間隔は約30から60mmの間で可変とした。
【００５１】
なお、真の選別空間は、固定選別円盤14，16，24，26と可動選別円盤15，25による選別空間S1，S2と、固定回転軸11，13，21，23と可動回転軸12，22にはめ込んだイボローラー32により形成される略長方形の空間であるが、固定回転軸11，13，21，23と可動回転軸12，22の間におけるイボローラー32の突起先端間の距離は選別空間S1，S2の間隔の最大値とほぼ同じとする。
【００５２】
第一選別部10の可動回転軸12をその軸方向に摺動させる第一スライド駆動部40を設け、第二選別部20の可動回転軸22をその軸方向に摺動させる第二スライド駆動部50を設ける。第一スライド駆動部40は可動回転軸12の一端の側枠３より外方に設け、第二スライド駆動部50は可動回転軸22の一端の側枠３より外方に設ける。
【００５３】
スライド駆動部40，50には、側枠３より外方のスライド駆動部枠41，51と、側枠３とスライド駆動部枠41，51とに渡る一対のネジ軸42，52とを設ける。一対のネジ軸42，52は可動回転軸12，22と平行に配置され、ネジ軸42，52には雄ネジが刻まれ、自由に回転するよう側枠３とスライド駆動部枠41，51に固定される。
【００５４】
一対のネジ軸42，52の間にスライド枠43，53を設け、スライド枠43，53には雌ネジが刻まれネジ軸42，52の雄ネジと噛み合っており、ネジ軸42，52が回転するとスライド枠43，53はネジ軸42，52に沿って摺動する。
【００５５】
スライド枠43，53に可動回転軸12，22を自由に回転するよう固定し、スライド枠43，53が摺動すると可動回転軸12，22がその軸方向に摺動する。
【００５６】
一対のネジ軸42，52のスライド駆動部枠41，51より外方に一対の鎖車44，54をはめ込んで固定し、鎖車44，54が回転するとネジ軸42，52も回転する。
【００５７】
一対の側枠３上で、第一選別部10の上方に第一上部枠61を、第二選別部20の上方に第二上部枠62を設け、第一上部枠61と第二上部枠62にはそれぞれ一対のネジ軸42，52と平行な第一可動ハンドル軸63と第二可動ハンドル軸64を設ける。第一可動ハンドル軸63は自由に回転するよう第一上部枠61に固定され、第二可動ハンドル軸64は自由に回転するよう第二上部枠62に固定される。
【００５８】
第一可動ハンドル軸63と第二可動ハンドル軸64に各々鎖車45，55をはめ込んで固定し、一対の鎖車44と鎖車45の間に鎖46を、一対の鎖車54と鎖車55の間に鎖56を掛け渡し、第一可動ハンドル軸63と第二可動ハンドル軸64が回転するとネジ軸42，52も連動して回転する。
【００５９】
第一可動ハンドル軸63と第二可動ハンドル軸64の一端にクランク状の一対のハンドル65，66をはめ込んで固定し、ハンドル65，66を回すと第一可動ハンドル軸63と第二可動ハンドル軸64に連動するネジ軸42，52が回転し、スライド枠43，53が摺動することにより可動回転軸12，22がその軸方向に摺動する。
【００６０】
これにより、スライド駆動部40，50のハンドル65，66を回すと可動回転軸12，22がその軸方向に摺動して選別空間S1，S2の間隔が変わるようにした。
【００６１】
第一可動ハンドル軸63と第二可動ハンドル軸64に各々カウンター67，68をはめ込み、カウンター67，68は各々第一可動ハンドル軸63と第二可動ハンドル軸64が何回転したかをカウントすることにより、選別空間S1，S2の間隔が現在どのようになっているかを表示する。
【００６２】
第二上部枠62上にモーター71を設け、モーター71に鎖車72をはめ込んで固定し、後固定回転軸23に鎖車74，75をはめ込んで固定し、鎖車72と鎖車74の間に鎖73を掛け渡す。
【００６３】
可動回転軸22に駆動パイプ77を軸方向に自由に摺動し回転は伝えるようにはめ込み、駆動パイプ77に鎖車78，79をはめ込んで固定し、鎖車75と鎖車78の間に鎖76を掛け渡す。
【００６４】
前固定回転軸21に鎖車81，82をはめ込んで固定し、鎖車79と鎖車82の間に鎖80を掛け渡す。
【００６５】
乗り継ぎローラー７に鎖車84，85をはめ込んで固定し、鎖車81と鎖車85の間に鎖83を掛け渡す。
【００６６】
後固定回転軸13に鎖車87，88をはめ込んで固定し、鎖車84と鎖車87の間に鎖86を掛け渡す。
【００６７】
可動回転軸12に駆動パイプ90を軸方向に自由に摺動し回転は伝えるようにはめ込み、駆動パイプ90に鎖車91，92をはめ込んで固定し、鎖車88と鎖車91の間に鎖89を掛け渡す。
【００６８】
前固定回転軸11に鎖車94をはめ込んで固定し、鎖車92と鎖車94の間に鎖93を掛け渡す。
【００６９】
これにより、乗り継ぎローラー７と同様に、選別する対象物を確実に搬送するように、選別円盤14，15，16，24，25，26の上面が流れ方向の下流側に向かうように回転駆動する。
【００７０】
可動回転軸12，22の回転数は前固定回転軸11，21の約２倍の回転数とし、後固定回転軸13，14の回転数は可動回転軸12，22の約２倍の回転数とし、第一選別部10および第二選別部20のそれぞれにおいて、流れ方向の下流側ほど選別円盤14，15，16，24，25，26の周速が速くなるようにしている。その周速は、可動選別円盤15，25において毎秒約14cmとしている。
【００７１】
以上の実施例では、定置型の選別装置１を示したが、収穫機などの移動する機械やその他の機械装置に組み込んでも良い。
【００７２】
また、第一選別部10と第二選別部20を二段平面状に並列させた例を示したが、上下に積層するように配置してもよいし、一段のみやさらに多段としても良い。
【００７３】
また、固定回転軸11，13，21，23を二本と可動回転軸12，22を一本配置し、固定選別円盤14，16，24，26の側面と可動選別円盤15，25の側面の同じ大きさの選別空間S1，S2を二回通過するようにした例を示したが、固定回転軸や可動回転軸を増やしてさらに多くの選別空間を通過するようにしても良いし、固定回転軸と可動回転軸を各一本とし選別空間を一回通過するようにしても良い。
【００７４】
また、スライド駆動部40，50のネジ軸42，52が回転して可動回転軸12，22が摺動する例を示したが、リンク機構やクランク機構、液圧シリンダーなどで可動回転軸12，22を摺動させても良い。
【００７５】
また、ハンドル65，66としてクランク状のものを示したが、丸形やその他の形状のものでも良い。
【図面の簡単な説明】
【００７６】
【図１】農産物の選別装置の一実施例を示す正面図である。
【図２】その一部を切り欠いた平面図である。
【図３】図２の一部を切り欠いた図である。
【図４】図３の部分拡大図である。
【図５】図４の作動状態を示す図である。
【図６】図４のＡ−Ａ線に沿う断面図である。
【図７】図６のＢ−Ｂ線に沿う断面図である。
【図８】図３の部分拡大図である。
【図９】図３の部分拡大図である。
【符号の説明】
【００７７】
11  固定回転軸としての前固定回転軸
12  可動回転軸
13  固定回転軸としての後固定回転軸
14  固定選別円盤としての前固定選別円盤
15  可動選別円盤
16  固定選別円盤としての後固定選別円盤
21  固定回転軸としての前固定回転軸
22  可動回転軸
23  固定回転軸としての後固定回転軸
24  固定選別円盤としての前固定選別円盤
25  可動選別円盤
26  固定選別円盤としての後固定選別円盤
27  外周リング
28  内側突起
40  スライド駆動部としての第一スライド駆動部
50  スライド駆動部としての第二スライド駆動部
65，66  ハンドル
S1  選別空間としての前選別空間
S2  選別空間としての後選別空間
【図１】
2006021089.tif 000003
【図２】
2006021089.tif 000004
【図３】
2006021089.tif 000005
【図４】
2006021089.tif 000006
【図５】
2006021089.tif 000007
【図６】
2006021089.tif 000008
【図７】
2006021089.tif 000009
【図８】
2006021089.tif 000010
【図９】
2006021089.tif 000011